(57)【要約】【課題】刈取装置により刈り取られた茶樹の枝葉を茶樹畝の畝間にスムーズに案内することができると共に、旋回時や運搬時に折り畳むことができる刈落とし装置を具備した乗用型刈取機を提供する。【解決手段】茶樹畝を跨いで走行する乗用車体１に、茶樹畝の上面に臨んで茶樹の枝葉を刈り取る刈取装置３と、刈取装置３により刈り取られた茶樹の枝葉を茶樹畝の畝間に案内する刈落とし装置４とが搭載された乗用型刈取機であって、刈落とし装置４は、刈取装置３の後方下側に後方に延びて連設された支持台４１と、刈り取られた茶樹の枝葉を茶樹畝の畝間に落下案内する支持台４１の後方上側に設置された落下案内部材４２と、刈り取られた茶樹の枝葉を搬送案内する刈取装置３の後方側開口部から落下案内部材４２の前方側開口部に連通された搬送案内部材４３とからなり、搬送案内部材４３は、柔軟性を有する伸縮材により構成され上記連通状態において緊張されているものである。【選択図】    図２
2004215601.tif 000002
【特許請求の範囲】
【請求項１】
茶樹畝を跨いで走行する乗用車体に、茶樹畝の上面に臨んで茶樹の枝葉を刈り取る刈取装置と、刈取装置により刈り取られた茶樹の枝葉を茶樹畝の畝間に案内する刈落とし装置とが搭載された乗用型刈取機であって、刈落とし装置は、刈取装置の後方下側に後方に延びて連設された支持台と、刈り取られた茶樹の枝葉を茶樹畝の畝間に落下案内する支持台の後方上側に設置された落下案内部材と、刈り取られた茶樹の枝葉を搬送案内する刈取装置の後方側開口部から落下案内部材の前方側開口部に連通された搬送案内部材とからなり、搬送案内部材は、柔軟性を有する伸縮材により構成され上記連通状態において緊張されていることを特徴とする刈落とし装置を具備した乗用型刈取機。
【請求項２】
前記支持台は、刈取装置に対して回動可能に連設されて刈取装置側へ折畳み自在に構成されていることを特徴とする請求項１に記載された刈落とし装置を具備した乗用型刈取機。
【請求項３】
前記刈落とし装置は、刈り取られた茶樹の枝葉を茶樹畝の両側の畝間に落下案内すべく、落下案内部材と搬送案内部材とが左右対称に支持台上に設置されていることを特徴とする請求項１に記載された刈落とし装置を具備した乗用型刈取機。
【発明の詳細な説明】
【０００１】
【発明の属する技術分野】
本発明は、刈落とし装置を具備した乗用型刈取機に関し、詳しくは、刈取装置により刈り取られた茶樹の枝葉を茶樹畝の畝間に案内する刈落とし装置を具備した乗用型刈取機に関するものである。
【０００２】
【従来の技術】
この種の乗用型刈取機としては、茶樹畝を跨いで走行する乗用車体に、茶樹畝の上面に臨んで茶樹の枝葉を刈り取る刈取装置と、該刈取装置により刈り取られた茶樹の枝葉を茶樹畝の畝間に案内する刈落とし装置とが搭載され、該刈落とし装置が、刈り取られた茶樹の枝葉を茶樹畝の畝間に落下案内する落下案内部材と、刈り取られた茶樹の枝葉を搬送案内する刈取装置の後方側開口部から落下案内部材の前方側開口部に連通された後方側へ先細状を呈した漏斗状の搬送案内部材とから構成されており、従来の搬送案内部材としては、伸縮性のない布、あるいは、アルミ材等の金属板が使用されていた。
【０００３】
【発明が解決しようとする課題】
しかしながら、上記従来技術の乗用型刈取機における搬送案内部材として伸縮性のない布を使用した場合においては、搬送案内部材の形状が、漏斗状を呈しているばかりでなく、両端開口部の中心がずれているため、刈取装置の後方側開口部と落下案内部材の前方側開口部との間において搬送案内部材を全体的に均一に張ることができず、部分的に弛みを生じ、このため、刈り取られた茶樹の枝葉を搬送風によって刈取装置から搬送案内部材を介して後方の落下案内部材側へ搬送する際に、刈り取られた茶樹の枝葉が搬送案内部材の弛み部に徐々に溜まり、搬送案内部材内が詰まって刈り取られた茶樹の枝葉を落下案内部材側へ搬送することができなくなる、という不都合があった。
【０００４】
また、従来技術の乗用型刈取機における搬送案内部材としてアルミ材等の金属板を使用した場合においては、搬送案内部材に部分的に弛みを生じることがないので、刈り取られた茶樹の枝葉が搬送案内部材内に溜まることはないものの、搬送案内部材を両端開口部の中心がずれた漏斗状にアルミ材等の金属板で製作することが、寸法精度上において困難であるばかりでなく、また、乗用型刈取機の旋回時や運搬時に刈落とし装置を折り畳むことができない、という不都合があった。
【０００５】
本発明は、上記従来技術における問題点を解決するもので、刈取装置により刈り取られた茶樹の枝葉を茶樹畝の畝間にスムーズに案内することができると共に、旋回時や運搬時に折り畳むことができる刈落とし装置を具備した乗用型刈取機を提供することを目的とするものである。
【０００６】
【課題を解決するための手段】
上記目的を達成するために、請求項１に係る発明は、茶樹畝を跨いで走行する乗用車体に、茶樹畝の上面に臨んで茶樹の枝葉を刈り取る刈取装置と、刈取装置により刈り取られた茶樹の枝葉を茶樹畝の畝間に案内する刈落とし装置とが搭載された乗用型刈取機であって、刈落とし装置は、刈取装置の後方下側に後方に延びて連設された支持台と、刈り取られた茶樹の枝葉を茶樹畝の畝間に落下案内する支持台の後方上側に設置された落下案内部材と、刈り取られた茶樹の枝葉を搬送案内する刈取装置の後方側開口部から落下案内部材の前方側開口部に連通された搬送案内部材とからなり、搬送案内部材は、柔軟性を有する伸縮材により構成され上記連通状態において緊張されているものである。
【０００７】
請求項１に係る発明によれば、刈りならし作業や軽剪枝作業等において、刈取装置により刈り取られた茶樹の枝葉を刈落とし装置で茶樹畝の畝間に案内することができるのであるが、支持台と落下案内部材と搬送案内部材とからなる刈落とし装置における特に搬送案内部材は、柔軟性を有する伸縮材により構成され、刈取装置の後方側開口部から落下案内部材の前方側開口部への連通状態において緊張されているものであるから、刈取装置により刈り取られた茶樹の枝葉を搬送案内部材でスムーズに搬送案内することができると共に、乗用型刈取機の旋回時や乗用型刈取機の運搬時に刈落とし装置を刈取装置側へ折り畳むことが可能であり、刈りならし作業や軽剪枝作業等の作業性を向上することができる。
【０００８】
請求項２に係る発明は、請求項１に記載された発明において、支持台は、刈取装置に対して回動可能に連設されて刈取装置側へ折畳み自在に構成されているものである。
【０００９】
請求項２に係る発明によれば、支持台は、刈取装置に対して回動可能に連設されているものであるから、刈りならし作業や軽剪枝作業等における乗用型刈取機の旋回時や乗用型刈取機の運搬時に、刈落とし装置を回動可能な支持台と柔軟性を有する伸縮材により構成された搬送案内部材とによって刈取装置側へ容易に折り畳むことができる。
【００１０】
請求項３に係る発明は、請求項１に記載された発明において、刈落とし装置は、刈り取られた茶樹の枝葉を茶樹畝の両側の畝間に落下案内すべく、落下案内部材と搬送案内部材とが左右対称に支持台上に設置されているものである。
【００１１】
請求項３に係る発明によれば、刈落とし装置は、落下案内部材と搬送案内部材とが左右対称に支持台上に設置されているものであるから、刈りならし作業や軽剪枝作業等において、刈取装置により刈り取られた茶樹の枝葉を刈落とし装置により茶樹畝の両側の畝間に落下案内することができる。
【００１２】
【発明の実施の形態】
以下、本発明の実施の形態を図に基づいて説明するが、本発明は、茶樹の枝葉を刈り取る刈取作業を行う乗用型刈取機であり、さらに詳しくは、乗用型刈取機により刈り取られた茶樹の切断枝葉を茶樹畝の畝間へ誘導排出する刈落とし装置を具備するもので、この刈落とし装置は、摘採機を使用する刈りならし作業や、浅番刈機を使用する軽剪枝作業等にも共用可能であり、本発明の実施の形態においては乗用型刈取機の刈落とし装置として説明する。図１は、乗用型刈取機の正面図であり、刈落とし装置は乗用型刈取機の後部に装設されているため図示されていない。図２は、乗用型刈取機の側面図であり、刈落とし装置は図の右側部分に示されている。図３は、同じく乗用型刈取機の側面図であり、刈落とし装置が折り畳まれている状態が示されている。図４は、刈落とし装置の平面図であり、拡大して詳細に示されている。
【００１３】
先ず、図１及び図２を参照しながら、茶樹の枝葉を刈り取る刈取作業を行う乗用型刈取機について説明する。１は乗用型刈取機の乗用車体であり、乗用車体１は左右一対のクローラ走行装置１１，１１により茶樹畝を跨いで茶樹畝の両側の畝間を走行する。また、乗用車体１には図示していない送風機が搭載されており、送風機からの送風路は伸縮ダクト２，２と多数のノズル２２を下部に有する左右分配ダクト２１，２１とを介してバリカン式の刈取装置３の前後部が開口した刈取チャンバー３１の前部開口に連通され、刈取チャンバー３１の後部開口はさらに刈落とし装置４に連通されている。また、刈取装置３は乗用車体１に設置された昇降装置５により昇降する支持フレーム５１に支持されており、したがって、送風機は乗用車体１に固定されているのに対して、左右分配ダクト２１，２１，刈取装置３及び刈落とし装置４は、伸縮ダクト２，２を介し乗用車体１に対して昇降装置５により昇降調節自在に支持されている。
【００１４】
茶樹の枝葉を刈り取りする刈取作業を行う乗用型刈取機は上記のように構成されているから、茶樹畝の高さに応じ、また、摘採機を使用する刈りならし作業や、浅番刈機を使用する軽剪枝作業等の作業内容に応じて、刈取装置３の高さを調節することができる。また、刈取装置３により刈り取られた刈取チャンバー３１内の茶樹の枝葉は、送風機から伸縮ダクト２，２と多数のノズル２２を有する左右分配ダクト２１，２１とを経由された搬送風により、刈落とし装置４へ搬送されて茶樹畝の畝間へ誘導排出されるものである。
【００１５】
次に、図２，図３及び図４を参照して、刈落とし装置４について説明する。
刈落とし装置４は、支持台４１と落下案内部材４２と搬送案内部材４３とから構成されており、支持台４１は、刈取装置３の前後部が開口した刈取チャンバー３１の後部開口側の両側縁にヒンジ４１１により回動可能に後方へ延びて連設されていると共に、支持台４１側と支持フレーム５１側との間に介装されたシリンダ４１２により刈取装置３側へ折り畳み可能に構成されており、図２に示すように、支持台４１が後方へ延びている状態は、刈取装置３により刈り取られた茶樹の枝葉を刈落とし装置４で茶樹畝の畝間に案内している状態であり、図３に示すように、支持台４１がシリンダ４１２により刈取装置３側へ折り畳まれている状態は、刈りならし作業や軽剪枝作業等における乗用型刈取機の旋回時や乗用型刈取機の運搬時の状態である。なお、支持台４１は、乗用型刈取機を茶葉の摘採機として使用する場合には、摘採された茶葉の収容台となるものである。
【００１６】
落下案内部材４２は、落下案内部材本体４２１と落下位置規制部材４２２とからなり、落下案内部材本体４２１は、前部と外側部とが開口されて刈り取られた茶樹の枝葉を前部開口から外側部開口へ案内するように形成されている。また、落下位置規制部材４２２は、落下案内部材本体４２１における外側部開口の上部開口縁に横方向の長孔と固定ねじにより横方向へ移動調整可能に装着された移動調整板と、移動調整板の外側縁に垂下された落下位置規制板とにより構成されており、落下位置規制部材４２２を横方向へ移動調整することにより、落下案内部材本体４２１の外側部開口へ案内された刈り取られた茶樹の枝葉を適宜幅の茶樹畝の畝間に落下案内することができる。そして、落下案内部材４２は、落下案内部材本体４２１を支持台４１の後方上側に配設して落下案内部材本体４２１の前部開口が刈取装置３における刈取チャンバー３１の後部開口と対向するように設置されている。
【００１７】
搬送案内部材４３は、柔軟性で伸縮性を有する布材からなり、前後端開口部の中心がずれ後方側へ先細状を呈した漏斗状に形成されており、搬送案内部材４３の後方側開口部は落下案内部材４２における落下案内部材本体４２１の前部開口の周縁に連結され、搬送案内部材４３の前方側開口部は刈取チャンバー３１における後部開口の周縁に掛留め具等の着脱具により着脱可能に装着されている。なお、搬送案内部材４３の前方側開口部に口枠を設けることにより、着脱具による装着を容易にすることができる。
【００１８】
この搬送案内部材４３の前方側開口部を刈取チャンバー３１における後部開口の周縁に装着するに際しては、柔軟性で伸縮性を有する布材からなる搬送案内部材４３をその伸縮性を利用して緊張させることができ、これにより、刈取装置３により刈り取られた茶樹の枝葉を落下案内部材４２へスムーズに搬送案内することができる。なお、搬送案内部材４３の前方側開口部に口枠を設けることにより、搬送案内部材４３を全体的に均一に緊張させることができる。
【００１９】
本発明の刈落とし装置４を具備した乗用型刈取機の実施の形態は上記のとおりであるから、刈りならし作業や軽剪枝作業等においては、刈取装置３により刈り取られた刈取チャンバー３１内の茶樹の枝葉は、送風機から伸縮ダクト２，２と多数のノズル２２を有する左右分配ダクト２１，２１とを経由した搬送風により後方の刈落とし装置４側へ搬送され、刈落とし装置４における搬送案内部材４３及び落下案内部材４２に案内され、落下案内部材４２の落下案内部材本体４２１及び落下位置規制部材４２２に落下規制されて茶樹畝の畝間へ誘導落下されるのであるが、搬送案内部材４３は、柔軟性で伸縮性を有する布材により構成され、刈取装置３の後方側開口部から落下案内部材４２の前方側開口部への連通状態において緊張されているから、刈り取られた茶樹の枝葉を緊張された搬送案内部材４３によりスムーズに搬送案内することができる。
【００２０】
また、刈りならし作業や軽剪枝作業等における乗用型刈取機の旋回時や乗用型刈取機の運搬時においては、刈落とし装置４を支持台４１側と支持フレーム５１側との間に介装されたシリンダ４１２により刈取装置３側へ折り畳むのであるが、刈落とし装置４を回動可能な支持台４１と柔軟性を有する伸縮材により構成された搬送案内部材４３とによって刈取装置３側へ容易に折り畳むことができる。
【００２１】
以上説明した刈落とし装置４は、支持台４１上に落下案内部材４２と搬送案内部材４３とが単列に設置され、刈取装置３により刈り取られた茶樹の枝葉を刈落とし装置４で茶樹畝の片側の畝間に案内する場合について説明したが、刈落とし装置４は、支持台４１上に落下案内部材４２と搬送案内部材４３とが左右対称に設置されていてもよく、この場合には刈取装置３により刈り取られた茶樹の枝葉を刈落とし装置４で茶樹畝の両側の畝間に案内することができる。また、刈落とし装置４を具備した乗用型刈取機は、左右一対のクローラ走行装置１１，１１により茶樹畝を跨いで茶樹畝の両側の畝間を走行するものとして説明したが、レール上を車輪により走行するものとしてもよく、また、刈落とし装置４自体は、歩行型刈取機に採用することも可能である。
【００２２】
【発明の効果】
以上のように構成される本発明によると、刈りならし作業や軽剪枝作業等において、刈取装置により刈り取られた茶樹の枝葉を刈落とし装置で茶樹畝の畝間に案内することができるのであるが、支持台と落下案内部材と搬送案内部材とからなる刈落とし装置における特に搬送案内部材は、柔軟性を有する伸縮材により構成され、刈取装置の後方側開口部から落下案内部材の前方側開口部への連通状態において緊張されているものであるから、刈取装置により刈り取られた茶樹の枝葉を搬送案内部材でスムーズに搬送案内することができると共に、乗用型刈取機の旋回時や乗用型刈取機の運搬時に刈落とし装置を刈取装置側へ折り畳むことが可能であり、刈りならし作業や軽剪枝作業等の作業性を向上することができる。
【図面の簡単な説明】
【図１】本発明に係る刈落とし装置を具備した乗用型刈取機の正面図で、要部を実線で示した説明図である。
【図２】本発明に係る刈落とし装置を具備した乗用型刈取機の側面図で、要部を実線で示した説明図である。
【図３】刈落とし装置を折り畳んだ状態の側面図で、要部を実線で示した説明図である。
【図４】刈落とし装置の平面図である。
【符号の説明】
１  …乗用車体
３  …刈取装置
４  …刈落とし装置
４１…支持台
４２…落下案内部材
４３…搬送案内部材
【図１】
2004215601.tif 000003
【図２】
2004215601.tif 000004
【図３】
2004215601.tif 000005
【図４】
2004215601.tif 000006